(57)【要約】【課題】使用時において瞬時に防犯用標識ボールの取り扱いが可能な防犯用標識ボールの収納具を得ること。【解決手段】収納具本体１１内に、標識ボール２を着脱可能に保持する保持具３を備えるとともに、保持具３は収納具本体１１内を移動可能に設けられ、前記保持具３は、標識ボール２を着脱可能に保持する保持部３１と、この保持部を収納具本体１１から離脱するのを阻止する離脱阻止部材４１とを備え、収納具本体１１には、少なくとも一つの蓋部１２を開閉可能に設け、前記保持具３の保持部３１に標識ボール２を保持させ且つ閉じた蓋部１２を下方に向けて収納具本体の当該蓋部を開いた際、少なくとも標識ボールの自重で当該保持具が収納具本体内を落下して、標識ボールが保持具に保持されたまま収納具本体から外部に露出するように設けられている防犯用標識ボールの収納具１である。【選択図】        図３
2004190873.tif 000002
【特許請求の範囲】
【請求項１】
防犯用標識ボールを取り出し可能に収納する防犯用標識ボールの収納具において、
収納具本体内に、標識ボールを着脱可能に保持する保持具を備えるとともに、前記保持具は前記収納具本体内を移動可能に設けられ、
前記保持具は、標識ボールを着脱可能に保持する保持部と、この保持部を収納具本体から離脱するのを阻止する離脱阻止部材とを備え、
前記収納具本体には、少なくとも一つの蓋部を当該収納具本体の下部に開閉可能に設け、
前記保持具の保持部に標識ボールを保持させ且つ閉じた前記蓋部を下方に向けて収納具本体の当該蓋部を開いた際、少なくとも標識ボールの自重で当該保持具が収納具本体内を落下して、標識ボールが保持具に保持されたまま収納具本体から外部に露出するように設けられていることを特徴とする防犯用標識ボールの収納具。
【発明の詳細な説明】
【０００１】
【発明の属する技術分野】
本発明は、防犯用標識ボールを取り出し可能に収納する防犯用標識ボールの収納具に関する。
【０００２】
【従来の技術】
犯罪現場から逃走する犯人を識別するため、防犯用標識ボールなる防犯具が用いられている。この防犯用標識ボールは、中空薄肉の球形容器の中に、有色の液体塗料が充填されているボールであって、このボールが逃走者や逃走車両に当ると、容器が割れて中の液体塗料が飛び出し、その者や車両に付着して、爾後、容易に逃走犯人を識別することできるようになるものである。
【０００３】
この種の防犯用標識ボールは、通常は使用者が万一の場合に犯罪者等に向かって投げられるものであるが、例えば、特許文献１（特開平１１−２１１３９２号公報）に記載されているように、防犯用標識ボールを収納する収納具が発射装置を備えていたり、また、特許文献２（特開２０００−０１８８９１号公報）に記載されているように、防犯用標識ボールの中に悪臭剤を充填して、逃走者が塗料塗布の衣服を脱いでも臭気がその者に付着するようにしたり、また、その防犯用標識ボールを、圧縮空気を利用した連発銃で発射させるものが提案されている。
【０００４】
【特許文献１】特開平１１−２１１３９２号公報
【特許文献２】特開２０００−０１８８９１号公報
【０００５】
【発明が解決しようとする課題】
前述した特許文献１及び特許文献２は、防犯用標識ボールの使用者が一般市民の場合、とりわけ非力な女性や老人が、防犯用標識ボールの投擲を十分に行うことができない点に鑑みて、発射装置を提案しているが、発射装置を使用する場合は、むしろその取り扱いがうまくいかないでボールの発射タイミングを失ってしまうことがあり得るものである。使用者が女性や老人の場合はなおさらである。
【０００６】
本発明者は、防犯用標識ボールは基本的には投げる方向性の自由度が広範な投擲によりなされる方が使用頻度が大きいものであって、むしろ犯罪に遭遇した人が防犯用標識ボールを咄嗟に使用することができるようにすることこそが肝要であると思料し、万一の使用時において、瞬時に防犯用標識ボールの取り扱いが可能な防犯用標識ボールの収納具を提案するものである。
【０００７】
【課題を解決するための手段】
本願発明は、防犯用標識ボールを取り出し可能に収納する防犯用標識ボールの収納具において、
収納具本体内に、標識ボールを着脱可能に保持する保持具を備えるとともに、前記保持具は前記収納具本体内を移動可能に設けられ、
前記保持具は、標識ボールを着脱可能に保持する保持部と、この保持部を収納具本体から離脱するのを阻止する離脱阻止部材とを備え、
前記収納具本体には、少なくとも一つの蓋部を開閉可能に設け、
前記保持具の保持部に標識ボールを保持させ且つ閉じた前記蓋部を下方に向けて収納具本体の当該蓋部を開いた際、少なくとも標識ボールの自重で当該保持具が収納具本体内を落下して、標識ボールが保持具に保持されたまま収納具本体から外部に露出するように設けられている防犯用標識ボールの収納具である。
【０００８】
【発明の実施の形態】
以下に、本発明の具体例を図面に基づいて詳細に説明する。
【０００９】
図１乃至図３に示す本例の防犯用標識ボールの収納具１は、防犯用標識ボール２，２を取り出し可能に収納する収納具であって、収納具本体１１内に、標識ボール２，２を着脱可能に保持する保持具３を備える。
【００１０】
この保持具３は、収納具本体１１内を移動可能に設けられていて、本例では標識ボール２，２を着脱可能に保持する保持部３１と、この保持部を収納具本体から離脱するのを阻止する離脱阻止部材４１とを備える。
【００１１】
前記収納具本体１１には、少なくとも一つの蓋部１２を当該収納具本体の下部に開閉可能に設けて常時は閉塞させておき、保持具３の保持部３１に標識ボール２を保持させ且つ閉じた蓋部１２を下方に向けて収納具本体１１の当該蓋部を開いた際、標識ボール２の自重で蓋部１２が開かれるとともに当該保持具が収納具本体内を落下して、標識ボール２が保持具３に保持されたまま収納具本体１１から外部に露出するように設けられている。以下、本発明の収納具を本例における具体的な態様に基づいて詳述する。
【００１２】
図に示す防犯用標識ボールの収納具１の収納具本体１１は、円筒状の筒体１１１に上蓋１１２を固着し、下蓋を開閉可能な蓋部１２としている。この蓋部１２は、筒体１１１にナイロンベルト１２１を介して取付けられている。
【００１３】
更に、蓋部１２の内側には、制振ゴムからなる衝撃吸収材１２２を取付けており、また、蓋部１２の外側（この例ではナイロンベルト１２１の外側）には、係止部材１２３を設けている。尚、ナイロンベルト１２１は、リベット１２４により筒体１１１に取付けられている。
【００１４】
一方、収納具本体１１の外側には、別のナイロンベルト１１３を、上蓋１１２の箇所から下部の蓋部１２にかけて配設しており、そして、ナイロンベルト１１３の下端部１１３ａの内側に、係止部材１１４を設けている。このナイロンベルト１１３の係止部材１１４は、蓋部１２が収納具本体１１に閉じられたときに、蓋部１２の係止部材１２３と係合して、この蓋部１２をロックしこの蓋部１２の開放を阻止している。尚、ナイロンベルト１１３は、リベット１１５により上蓋１１２に取付けられている。
【００１５】
保持具３は、前述したように、収納具本体１１内を移動可能に設けられていて、標識ボール２，２を着脱可能に保持する保持部３１と、この保持部を収納具本体から離脱するのを阻止する離脱阻止部材４１とを備えている。
【００１６】
保持部３１は、筒状の収納具本体１１の内径より若干小径のガイドパイプ３１１と、このガイドパイプ３１１にその上端部が固着された細板状の固定板３１２と、この固定板３１２に取付けられたボール保持用爪部材３１３と、これら上下の爪部材３１３の間に設けられた衝撃吸収材３１４及び、ガイドパイプ３１１の下面に設けられた衝撃吸収材３１５とを備えている。
【００１７】
爪部材３１３は、各基部が固定板３１２に固着され、他端側は標識ボール２の外周に適合する曲部を呈しており、複数の爪部材３１３，３１３で標識ボール２を安定して保持することができるように設けられている。この例では、標識ボール２はボール保持用爪部材３１３，３１３に片持ち状に把持されて装着されている。
【００１８】
衝撃吸収材３１４は、制振ゴムからなるものであって、標識ボール２，２の間に配設されている。また、衝撃吸収材３１５も制振ゴムからなるものであって、上方の標識ボール２を保護している。更に、前述した蓋部１２の内側に設けた制振ゴムからなる衝撃吸収材１２２によって、下方の標識ボール２が保護される。このようにして、標識ボール２，２は、複数の爪部材３１３と上下、中間の衝撃吸収材１２２，３１４，３１５によって安定して保持される。
【００１９】
離脱阻止部材４１は、可撓性のあるプラスチック板材、例えばポリプロピレンで形成され、上端が上蓋１１２の下面に、前記リベット１１５によって固定され、離脱阻止部材４１の下端は、前記ガイドパイプ３１１に固着されている。
【００２０】
また、収納具本体１１の側部には、使用者が携帯するときに例えばバンド等に装着可能なように取付具５１が設けられている。
【００２１】
この取付具５１は、ナイロンベルト５１１の中間部と、側面視下向きＵ字形のベルト引掛け金具５１２とを重ねてリベット５１３，５１３で固着し、ナイロンベルト５１１の一方の端部の外側に係止部材５１４を固着するとともに、ナイロンベルト５１１の他方の端部の内側に係止部材５１５を固着して構成している。
【００２２】
取付具５１は、図４（１）に示すように、ベルト４にベルト引掛け金具５１２を上から装着し、このベルト引掛け金具５１２を上下から挟むようにナイロンベルト５１１で押圧し、ナイロンベルト５１１の係止部材５１４，５１５で係止することにより、ベルト４に装着することができる。
【００２３】
尚、図４（２）は図４（１）に示す収納具本体１１を上から見た図、図４（３）は収納具本体１１を下から見た図である。
【００２４】
以上のように構成される本例の収納具１を使用する場合は、予め収納具本体１１内に防犯用標識ボール２，２を装備しておき、必要に応じて、収納具本体１１の外側にあるナイロンベルト１１３の下端部１１３ａを、下方に引張って係止部材１１４，１２３の係止を外すと、蓋部１２の規制が解けて、図５に示すように、標識ボール２，２の自重で蓋部１２が開かれるとともに保持具３が収納具本体内を落下して、標識ボール２，２が保持具３に保持されたまま収納具本体１１から外部に瞬時に露出する。標識ボール２，２はボール保持用爪部材３１３，３１３に片持ち状に把持されて装着されているので、使用者は容易に標識ボール２，２を手に持って、ボール保持用爪部材３１３，３１３から離脱させることができる。
【００２５】
【発明の効果】
以上説明したように、本願発明は、防犯用標識ボールを取り出し可能に収納する防犯用標識ボールの収納具において、収納具本体内に、標識ボールを着脱可能に保持する保持具を備えるとともに、前記保持具は前記収納具本体内を移動可能に設けられ、前記保持具は、標識ボールを着脱可能に保持する保持部と、この保持部を収納具本体から離脱するのを阻止する離脱阻止部材とを備え、前記収納具本体には、少なくとも一つの蓋部を開閉可能に設け、前記保持具の保持部に標識ボールを保持させ且つ閉じた前記蓋部を下方に向けて収納具本体の当該蓋部を開いた際、少なくとも標識ボールの自重で当該保持具が収納具本体内を落下して、標識ボールが保持具に保持されたまま収納具本体から外部に露出するように設けられている防犯用標識ボールの収納具である。
【００２６】
従って、本願発明によれば、使用時において、瞬時に防犯用標識ボールの取り扱いが可能な防犯用標識ボールの収納具を得ることができるものである。
【図面の簡単な説明】
【図１】本発明の具体例に係り、収納具を示す外観斜視図である。
【図２】本発明の具体例に係り、収納具を示す正面図である。
【図３】本発明の具体例に係り、収納具を示す縦断正面図である。
【図４】本発明の具体例に係り、（１）は収納具を示す正面図、（２）は収納具を示す平面図、（３）は収納具を示す底面図である。
【図５】本発明の具体例に係り、収納具の蓋部を開いた状態を示す縦断正面図である。
【符号の説明】
１        収納具
２        防犯用標識ボール
３        保持具
４        ベルト
１１        収納具本体
１２        蓋部
３１        保持部
４１        離脱阻止部材
５１        取付具
１１１        筒体
１１２        上蓋
１１３        ナイロンベルト
１１３ａ        下端部
１１４        係止部材
１１５        リベット
１２１        ナイロンベルト
１２２        衝撃吸収材
１２３        係止部材
１２４        リベット
３１１        ガイドパイプ
３１２        固定板
３１３        ボール保持用爪部材
３１４        衝撃吸収材
３１５        衝撃吸収材
５１１        ナイロンベルト
５１２        ベルト引掛け金具
５１３        リベット
５１４        係止部材
５１５        係止部材
【図１】
2004190873.tif 000003
【図２】
2004190873.tif 000004
【図３】
2004190873.tif 000005
【図４】
2004190873.tif 000006
【図５】
2004190873.tif 000007